(57)【要約】【課題】ユーザが店舗情報を容易に利用することを可能とする店舗情報管理システムを提供する。【解決手段】店舗情報管理システムの公開型ブックマーク管理部１２０は、ユーザデータベース２２に格納されているブックマークリストを公開型ブックマークとして管理する。【選択図】  図２
2007179184.tif 000002
【特許請求の範囲】
【請求項１】
ユーザに関する情報であるユーザ情報と、前記ユーザにより登録された店舗のブックマークの一覧であるブックマークリストと、を格納するユーザデータベースと、
前記ユーザデータベースに格納されている店舗のブックマークを公開型ブックマークとして管理する公開型ブックマーク管理手段と
を備えることを特徴とする店舗情報管理システム。
【請求項２】
店舗に関する情報である店舗情報と、前記店舗のブックマークを登録したユーザの一覧であるブックマーク登録者リストと、を格納する店舗データベースを備え、
前記公開型ブックマーク管理手段は、
前記ユーザデータベースに格納されている情報に基づいてユーザ情報画面を表示するユーザ情報画面表示手段と、
前記店舗データベースに格納されている情報に基づいて店舗情報画面を表示する店舗情報画面表示手段と、
前記ユーザ情報画面上に表示されたブックマークリストの中から所定のブックマークが選択された場合に、該所定のブックマークで識別される店舗に対応する店舗情報画面を表示し、
前記店舗情報画面上に表示されたブックマーク登録者リストの中から所定のユーザ識別情報が選択された場合に、該所定のユーザ識別情報に対応するユーザ情報画面を表示するよう制御を行う相互リンク手段とを備えることを特徴とする
請求項１に記載の店舗情報管理システム。
【請求項３】
前記ブックマーク管理手段は、
前記店舗情報画面からのユーザによるブックマーク登録指示を受けた場合に、前記ユーザの識別情報を前記店舗データベースのブックマーク登録者リストに追加し、かつ、前記店舗情報画面に表示されている店舗情報に対応するブックマークを前記ユーザデータベースのブックマークリストに追加するブックマーク登録手段を備えることを特徴とする
請求項１又は２に記載の店舗情報管理システム。
【請求項４】
ユーザによる投稿記事に対して、前記店舗データベースから取得した店舗情報を付加する加工を施す投稿記事加工手段と、
前記投稿記事加工手段により加工が施された投稿記事を投稿先へ送信する記事投稿手段とを備えることを特徴とする
請求項１から３の何れか１項に記載の店舗情報管理システム。
【請求項５】
ユーザによる記事投稿の際に、前記ユーザの識別情報を前記店舗データベースのブックマーク登録者リストに追加し、かつ、前記投稿記事に付加される店舗情報に対応するブックマークを前記ユーザデータベースのブックマークリストに追加する記事投稿時自動登録手段をさらに備えることを特徴とする
請求項４に記載の店舗情報管理システム。
【発明の詳細な説明】
【技術分野】
【０００１】
本発明は、ユーザのお気に入りの店舗情報を管理する店舗情報管理システムに関する。
【背景技術】
【０００２】
近年、ブックマーク、ブログ、埋め込み型広告等、インターネット等の通信ネットワークを利用した情報管理技術が普及してきている。
ブックマークとは、書籍の「しおり」に似たＷｅｂブラウザの機能であり、ユーザのお気に入りのｗｅｂページのネットワーク上における識別情報（例えば、ＵＲＬ（Uniform Resource Locator））をブックマークとして登録・管理することができる。
【０００３】
本来、ブックマークは自身の計算機上で管理されるものであり、非公開のプライベートな情報である。しかし、最近においては、ウェブサイト「はてな」に代表されるような、サーバによって管理される公開型ブックマークも広く使用されるようになっている（非特許文献１参照）。
ブログはネットワーク上の簡易型掲示板であり、日付順に記事を管理することができ、日記感覚でホームページを作成することができるコンテンツ・マネージメント・システムである。携帯電話機の電子メールを使用してブログに記事を投稿することも可能である。携帯メールを使用したブログはモブログとも呼ばれる。
【０００４】
また、埋め込み型広告とは、ブログ記事にスクリプトを埋め込むことにより、ブログ記事の内容に合わせて、広告を自動的に表示させる広告技術である。
【非特許文献１】人入力検索サイト、“はてな”、［online］、［平成１７年８月１７日検索］、インターネット＜ＵＲＬ：http://hatena.ne.jp＞
【発明の開示】
【発明が解決しようとする課題】
【０００５】
ところで、我々は、街を歩いていると新しいお店を発見し、そのお店に「今度行ってみよう」と思うことがある。しかし、時としてそのお店の場所を忘れてしまい二度といけない場合がある。
また、ブログに気に入ったお店の記事を作成しようとした場合、店舗名、住所、営業時間などの店舗情報を入手し、これを記載することは手間のかかる作業である。しかしながら、ブログの閲覧者としては、ブログにお店の記事が掲載されていてもお店の場所が掲載されていない場合、お店に行ってみることができない。店舗側にとっては、ユーザのブログにお店の記事を書いてもらうだけではなく、お店の場所や営業時間なども掲載してほしいという要望がある。
【０００６】
このように、従来においては、ユーザは店舗情報を容易に入手したり記録したりすることができず、有効利用することができなかった。
本発明は以上の問題点に鑑みてなされたものであり、ユーザが店舗情報を容易に利用することを可能とする店舗情報管理システムを提供することを目的とする。
【課題を解決するための手段】
【０００７】
上記課題を解決するために、請求項１に記載の発明は、ユーザに関する情報であるユーザ情報と、前記ユーザにより登録された店舗のブックマークの一覧であるブックマークリストと、を格納するユーザデータベースと、前記ユーザデータベースに格納されている店舗のブックマークを公開型ブックマークとして管理する公開型ブックマーク管理手段とを備えることを特徴とする店舗情報管理システムを提供する。
この発明によれば、店舗情報管理システムは、ユーザにより登録された店舗のブックマークを公開型ブックマークとして管理するため、多数のユーザがブックマークを使用して容易に店舗情報を利用することが可能となる。
【０００８】
請求項２に記載の発明は、請求項１に記載の店舗情報管理システムにおいて、店舗に関する情報である店舗情報と、前記店舗のブックマークを登録したユーザの一覧であるブックマーク登録者リストと、を格納する店舗データベースを備え、前記公開型ブックマーク管理手段は、前記ユーザデータベースに格納されている情報に基づいてユーザ情報画面を表示するユーザ情報画面表示手段と、前記店舗データベースに格納されている情報に基づいて店舗情報画面を表示する店舗情報画面表示手段と、前記ユーザ情報画面上に表示されたブックマークリストの中から所定のブックマークが選択された場合に、該所定のブックマークで識別される店舗に対応する店舗情報画面を表示し、前記店舗情報画面上に表示されたブックマーク登録者リストの中から所定のユーザ識別情報が選択された場合に、該所定のユーザ識別情報に対応するユーザ情報画面を表示するよう制御を行う相互リンク手段とを備えることを特徴とする。
【０００９】
この発明によれば、ユーザ情報画面上に表示されたブックマークリスト及び店舗情報画面上に表示されたブックマーク登録者リストを用いて、店舗情報画面とユーザ情報画面とで相互リンクを行うことができるため、店舗のブックマークに基づいたコミュニティを形成することができ、多数のユーザが容易に店舗情報を利用することができる。
【００１０】
請求項３に記載の発明は、請求項１又は２に記載の店舗情報管理システムにおいて、前記ブックマーク管理手段は、前記店舗情報画面からのユーザによるブックマーク登録指示を受けた場合に、前記ユーザの識別情報を前記店舗データベースのブックマーク登録者リストに追加し、かつ、前記店舗情報画面に表示されている店舗情報に対応するブックマークを前記ユーザデータベースのブックマークリストに追加するブックマーク登録手段を備えることを特徴とする。
この発明によれば、ユーザは店舗情報画面からブックマーク登録指示を行うことにより、必要な情報を店舗データベース及びユーザデータベースに登録することができ、店舗のブックマークを登録したユーザのリスト及びユーザにより登録された店舗のブックマークリストを正確に管理し利用することが可能となる。
【００１１】
請求項４に記載の発明は、請求項１から３の何れか１項に記載の店舗情報管理システムにおいて、ユーザによる投稿記事に対して、前記店舗データベースから取得した店舗情報を付加する加工を施す投稿記事加工手段と、前記投稿記事加工手段により加工が施された投稿記事を投稿先へ送信する記事投稿手段とを備えることを特徴とする。
この発明によれば、店舗情報管理システムは、店舗データベースから取得された店舗情報を投稿記事に付加する加工を施し、該加工が施された投稿記事をブログへ投稿するため、ユーザは店舗情報を手動で入力する手間が省け、店舗情報を容易に利用することができる。
【００１２】
請求項５に記載の発明は、請求項４に記載の店舗情報管理システムにおいて、ユーザによる記事投稿の際に、前記ユーザの識別情報を前記店舗データベースのブックマーク登録者リストに追加し、かつ、前記投稿記事に付加される店舗情報に対応するブックマークを前記ユーザデータベースのブックマークリストに追加する記事投稿時自動登録手段をさらに備えることを特徴とする。
この発明によれば、記事投稿の際に自動的に店舗データベース及びユーザデータベースに情報を登録することができ、店舗のブックマークを正確に管理し利用することが可能となる。
【発明の効果】
【００１３】
本発明によれば、店舗情報管理システムは、ユーザにより登録された店舗のブックマークを公開型ブックマークとして管理するため、多数のユーザがブックマークを使用することができ、店舗情報を容易に利用することが可能となる。
【発明を実施するための最良の形態】
【００１４】
次に、図面を参照しながら、本発明の実施の形態について説明する。なお、以下の説明において参照する各図においては、他の図と同等部分に同一符号が付されている。
［構成］
図１は、本発明の実施の形態に係る店舗情報管理システムの構成を示す。同図に示すように、店舗情報管理システムは、ユーザ情報及びユーザに提供される店舗情報を管理するデータベースサーバ１１と、ブラウザによるインターフェースを提供するＷＷＷ（World Wide Web）サーバ１２と、ユーザ端末２０から受信した投稿記事を処理するゲートウェイサーバ１３とを含んで構成される。
【００１５】
ユーザ端末２０は、ユーザが所持するユーザ・インターフェース機器であり、パーソナルコンピュータ、携帯電話機、ＰＨＳ（Personal Handyphone System）等の通信端末が該当する。ユーザ端末２０にはＷｅｂページを閲覧するためのブラウザがインストールされている。
当該店舗情報管理システムへの入力としては、ユーザ端末２０からのＨＴＴＰ（HyperText Transfer Protocol）通信によるデータ入力、及び、電子メールによる記事の投稿が存在する。店舗情報管理システムからの出力としては、ＨＴＴＰ通信によるユーザ端末２０への応答、及び、ＸＭＬ−ＲＰＣ（eXtensible Markup Language-Remote Procedure Call）によるブログへの記事投稿の出力が存在する。
【００１６】
次に、店舗情報管理システムを構成する各装置の構成について説明する。
［データベースサーバの構成］
データベースサーバ１１はデータを管理するサーバであり、図示せぬ、サーバ１１全体を制御するＣＰＵと、ＲＡＭ、ＲＯＭ、ハードディスク装置等の記憶装置と、通信を制御する通信インターフェースとを備えている。ハードディスク装置には、図２に示すように、店舗データベース２１及びユーザデータベース２２が設けられている。
【００１７】
店舗データベース２１には、店舗を規定する店舗情報が格納される。例えば、図３に示すように、店舗ＩＤ、店舗名、カテゴリ、住所、連絡先、営業時間、緯度・経度、お知らせ、ブックマーク登録者リスト等の、店舗に関する各種情報が格納される。
ユーザデータベース２２には、ユーザを規定するユーザ情報が格納される。例えば、図４に示すように、ユーザＩＤ、ユーザ名、パスワード、メールアドレス、モブログ用ポストアドレス、ブログＵＲＬ、ブックマークリスト等の、ユーザに関する各種情報が格納される。
【００１８】
［ＷＷＷサーバの構成］
ＷＷＷサーバ１２はＨＴＴＰ通信を行うサーバであり、データベースサーバ１１と同様に一般的なコンピュータのハードウェア構成を備えている。
記憶装置には、ＨＴＴＰ通信を行うためのソフトウェアや、公開型ブックマークを管理するための各種プログラムが記憶されている。ＷＷＷサーバ１２のＣＰＵがプログラムに従って処理を実行することにより、図５に示す機能構成がＷＷＷサーバ１２に実現される。
【００１９】
公開型ブックマーク管理部１２０は、ユーザデータベース２２に格納されているブックマーク情報を公開型ブックマークとして管理する。公開型ブックマーク管理部１２０は、さらに詳細には、店舗情報画面表示部１２１と、ユーザ情報画面表示部１２２と、相互リンク部１２３と、ブックマーク登録部１２４とを含んで構成される。
店舗情報画面表示部１２１は、店舗データベース２１に格納されている情報に基づいて、店舗情報画面をユーザ端末２０に表示する。図６及び図７には店舗情報画面の表示例を示す。図６がユーザ認証前の店舗情報画面Ｇ１であり、図７がユーザ認証後の店舗情報画面Ｇ２である。
【００２０】
ユーザ認証前の店舗情報画面Ｇ１には、図６に示すように、店舗の写真や店舗の紹介記事等で構成される店舗情報３１、ユーザ認証ページへのリンク３２、及び、該当店舗をブックマークとして登録しているユーザのリスト（ブックマーク登録者リスト）３３が表示されている。
ユーザ認証後の店舗情報画面Ｇ２には、図７に示すように、店舗情報３１及びブックマーク登録者リスト３３の他に、ブックマーク登録ボタン４２及び記事投稿用リンク４３が表示される。ブックマーク登録ボタン４２は、店舗情報画面Ｇ２に表示されている店舗情報３１の店舗ＩＤをユーザお気に入りのブックマークとして登録する際に選択される。記事投稿用リンク４３は、店舗情報が埋め込まれたブログ投稿用記事をユーザが作成する際に選択される。
【００２１】
ユーザ情報画面表示部１２２は、ユーザデータベース２２に格納されている情報に基づいてユーザ情報画面Ｇ３をユーザ端末２０に表示する。図８には、ユーザ情報画面Ｇ３の表示例を示す。同図に示すように、ユーザ情報画面Ｇ３にはユーザのプロフィール情報５１、及び、ユーザがブックマークに登録した店舗情報画面Ｇ２へのリンクであるブックマークリスト５２が表示されている。
【００２２】
相互リンク部１２３は、ブックマーク登録者リスト３３及びブックマークリスト５２を用いて、店舗情報３１が表示されている店舗情報画面Ｇ２（又は店舗情報画面Ｇ１）と、ユーザ情報５１が表示されているユーザ情報画面Ｇ３との相互リンクを行う。具体的には、相互リンク部１２３は、ユーザ情報画面Ｇ３上に表示されたブックマークリスト５２の中から何れかのブックマークが選択された場合に、選択されたブックマークで識別される店舗に対応する店舗情報画面Ｇ１を表示するよう制御を行い、また、店舗情報画面Ｇ２（又は店舗情報画面Ｇ１）上のブックマーク登録者リスト３３の中から何れかのユーザ情報が選択された場合に、選択されたユーザ情報に対応するユーザ情報画面Ｇ３を表示するよう制御を行う。
【００２３】
このように、ブックマーク登録者リスト３３とブックマークリスト５２とを用いて店舗情報画面Ｇ２（又は店舗情報画面Ｇ１）とユーザ情報画面Ｇ３との相互リンクを行うことにより、ユーザが登録した店舗を同様に登録している他のユーザのお気に入り店を辿ることが可能となり、店舗を核としたユーザ・コミュニティーの形成が可能となる。
【００２４】
ブックマーク登録部１２４は、ユーザ端末２０に表示された店舗情報画面Ｇ２からユーザがブックマーク登録指示を行うことによって、ユーザ端末２０からブックマーク登録指示を受けた場合に、当該ユーザのＩＤを店舗データベース２１のブックマーク登録者リストに追加し、かつ、店舗情報画面Ｇ２に表示されている店舗情報３１に対応するブックマーク（本実施の形態では店舗ＩＤ）をユーザデータベース２２のブックマークリストに追加する。
【００２５】
［ゲートウェイサーバの構成］
次に、ゲートウェイサーバ１３の構成について説明する。ゲートウェイサーバ１３は、データベースサーバ１１と同様に一般的なコンピュータのハードウェア構成を備えている。ゲートウェイサーバ１３は、メール解析器２３と投稿記事管理器２４とを備えている。
メール解析器２３は、ユーザ端末２０から受信した電子メールを解析し、電子メール送信者の認証を行う。電子メールには店舗情報を伴うブログへの投稿記事が記述されている。
【００２６】
図９に投稿記事管理器２４の機能構成を示す。同図に示すように、投稿記事管理器２４は、投稿記事加工部２４１と、記事投稿部２４２と、記事投稿時自動登録部２４３とを備えている。投稿記事加工部２４１は、ユーザ端末２０から電子メールにより投稿記事を受信した場合に、当該投稿記事に含まれている店舗の識別情報に基づいて、店舗情報を店舗データベース２１から呼び出し、当該呼び出した店舗情報をメール本文に付加する加工を施す。  記事投稿部２４２は、投稿記事加工部２４１により加工が施されたメール本文を登録先ブログへＸＭＬ−ＲＰＣを用いて記事投稿する。その結果、ネットワーク上において、店舗広告が埋め込まれたブログが公開される。
記事投稿時自動登録部２４３は、ユーザ端末２０からメール解析器２３経由で投稿記事を受信した場合に、ユーザデータベース２２の当該ユーザのブックマークリストに店舗ＩＤを追加登録し、さらに、店舗データベース２１の当該店舗のブックマーク登録者リストにユーザＩＤを追加登録する。
【００２７】
［動作］
次に、上記構成における動作例について説明する。
［ブックマークの登録］
まず、図１０に示すシーケンス図を参照して、店舗のブックマーク登録手順について説明する。
例えば、店舗ＩＤがＩＤ＝１である店舗の情報掲載先ＵＲＬを“http://www.tellagate.com/shop.php?shopid=1”とした場合、このＵＲＬで識別されるサイトへのアクセス方法は、（１）ＵＲＬを直接指定する、（２）ＷＷＷサーバ１２により提供される検索機能による検索結果を利用する、（３）ＵＲＬをＱＲコードに直接埋め込み、携帯電話機に搭載されたカメラを使用してＵＲＬを読み取ってサイトへアクセスする、等が存在する。
【００２８】
ユーザは、ユーザ端末２０から上記の何れかの方法を用いて店舗ＩＤ＝１のサイトへのアクセス要求を行う。これにより、ユーザ端末２０は店舗サイトへのアクセス要求をＷＷＷサーバ１２に送信する（ステップＳ１０１）。ＷＷＷサーバ１２の店舗情報画面表示部１２１は、ユーザ認証前の店舗情報画面Ｇ１を表示するための情報を返す（ステップＳ１０２）。ユーザ端末２０は、ＷＷＷサーバ１２から受信した情報に基づいて、図６に示す認証前の店舗情報画面Ｇ１をユーザ端末２０のディスプレイに表示する（ステップＳ１０３）。
【００２９】
ＷＷＷサーバ１２はユーザデータベース２２を参照して（ステップＳ１０４）、ユーザデータベース２２のユーザＩＤとユーザ端末２０から受信したユーザＩＤとの照合を行うことにより、ユーザ認証を実施する。ユーザ認証を実施した後、店舗情報画面表示部１２１は、ユーザ端末２０にユーザ認証後の店舗情報画面Ｇ２を表示するための情報を送信する（ステップＳ１０５）。
ユーザ端末２０は、ＷＷＷサーバ２１から受信した情報に基づいて、図７に示す認証後の店舗情報画面Ｇ２を表示する（ステップＳ１０６）。
【００３０】
ユーザが店舗情報画面Ｇ２のブックマーク登録ボタン４２をクリックすると、ユーザ端末２０はその旨の情報をＷＷＷサーバ１２に送信する（ステップＳ１０７）。
ＷＷＷサーバ１２のブックマーク登録部１２４は、ユーザが閲覧中の店舗ＩＤを店舗のブックマークとしてユーザデータベース２２の当該ユーザのブックマークリストに追加登録し（ステップＳ１０８）、さらに、ユーザＩＤを店舗データベース２１のブックマーク登録者リストに追加登録する（ステップＳ１０９）。
【００３１】
以上のようにしてユーザにより登録されたブックマークリストは、所定のＵＲＬを指定することによって閲覧が可能となる。例えば、ユーザＩＤがＩＤ＝１の場合、ＵＲＬを“http://www.tellagate.com/home.php?userid=1”と指定することによって、図８に示すユーザ情報画面Ｇ３がユーザ端末２０のディスプレイに表示される。
【００３２】
このように、店舗情報管理システムは、ユーザのブックマーク登録指示によって、店舗データベース２１及びユーザデータベース２２に必要な情報を格納し、ユーザデータベース２２に格納されている店舗のブックマークリストを公開型ブックマークとして管理するため、ユーザは容易に店舗情報を利用することが可能となる。また、ユーザは気に入ったお店を即座にブックマークとして登録することで、そのお店の場所を忘れてしまうことがなくなる。また、ユーザはブックマークとして登録した店舗から最新の情報を入手することができる。また、ブックマーク登録者リスト３３及びブックマークリスト５２を用いてページＧ２，Ｇ３の相互リンクを行うことにより、お気に入りのお店を共有する人同士でコミュニティを形成することができる。このため、ブログには店舗に対しポジティブ記事が記載される割合が高くなり、風評被害を抑えることが可能となる。
【００３３】
［記事投稿］
次に、図１１に示すシーケンス図を参照して、ユーザ端末２０としての携帯電話機からの記事投稿及び店舗情報付加手順について説明する。
店舗情報表示画面Ｇ２に表示されている記事投稿用リンク４３は、例えば、図１２に例示するような操作コードを埋め込んだテンプレートメール生成用メール起動リンクであるものとする。当該メール起動リンクは、記事投稿用メールアドレス６１、及び、データベース操作コード６２を埋め込んだ本文部からなる。記事投稿用メールアドレス６１は、ユーザ登録時にユーザ毎に発行されるものとする。ユーザ認証後に、当該発行されたメールアドレスが送信先として自動指定される。
【００３４】
このメール起動リンクによるメール起動後に、ユーザ端末２０のディスプレイには、本文７１にデータベース操作コード６２が埋め込まれた形のテンプレートが表示される。ユーザは、このテンプレートに件名（ここでは「感動！」）、本文（ここでは「渋谷でオムライス」）、添付ファイルを追加して送信指示を行う。これにより、ユーザ端末２０は、電子メールをゲートウェイサーバ１３へ送信する（図１１のステップＳ２０１）。
【００３５】
ゲートウェイサーバ１３が電子メールを受信すると、メール解析器２３はメールヘッダのＦｒｏｍおよびＴｏに記述されているメールアドレスを解析し、ユーザデータベース２２を参照して（ステップＳ２０２）、メールヘッダのＦｒｏｍに記述されているメールアドレスがユーザデータベース２２に登録されているユーザのメールアドレスと一致するか否かの認証を実施する（ステップＳ２０３）。登録ユーザであった場合、電子メールから「データベース操作コード」、「メール本文」、「添付」を切り出し、「ユーザＩＤ」とあわせて、これらを投稿記事管理器２４に引き渡す（ステップＳ２０４）。
【００３６】
投稿記事管理器２４の記事投稿時自動登録部２４３は、メール解析器２３から引き渡されたデータベース操作コードに基づいて、投稿記事に付加すべき店舗情報の店舗ＩＤを判別し、ユーザデータベース２２のブックマークリストに店舗ＩＤを追加登録する（ステップＳ２０５）。さらに、記事投稿時自動登録部２４３は、メール解析器２３から引き渡されたユーザＩＤを店舗データベース２１のブックマーク登録者リストに追加登録する（ステップＳ２０６）。また、投稿記事加工部２４１は、データベース操作コードに基づいて該当する店舗情報を店舗データベースから呼び出し（ステップＳ２０７）、呼び出した店舗情報をメール本文に付加する（ステップＳ２０８）。図１４には、店舗情報が付加されたメール本文の記載例を示す。
【００３７】
投稿記事管理器２４の記事投稿部２４２は、加工したメール本文を登録先ブログへＸＭＬ−ＲＰＣを用いて記事投稿する（ステップＳ２０９）。その結果、ブログには店舗広告が自動的に埋め込まれる。店舗広告が埋め込まれたブログ記事を図１５に例示する。同図に示すように、ブログ記事は、ユーザによって作成された本文８１とシステムによって自動挿入された埋め込み広告８２からなる。埋め込み広告８２をクリックすることでＷＷＷサーバ１２へアクセスして店舗情報画面Ｇ１，Ｇ２等を表示し、店舗の詳細情報を閲覧することが可能である。
【００３８】
このように、記事投稿の際に制御コードを埋め込んだテンプレートを利用して、店舗データベース２１から取得された店舗情報をメール本文に付加する加工を施し、当該加工が施された電子メール本文をブログへ投稿するようにしたため、ユーザは店舗情報を手動で入力する手間が省ける。また、ユーザは、店舗からの最新情報をユーザ自身のブログで確認することが可能となる。さらに、店舗側は、店舗情報をユーザのブログ記事に埋め込んでもらえるために、口コミ広告として活用することが可能となる。なお、上述した実施の形態においては、店舗情報を電子メール本文に付加するために制御コードを埋め込んだテンプレートを利用したが、これは一例に過ぎず、例えば、ゲートウェイサーバ１３に記憶されているプログラムを用いて全ての制御処理を行ってもよい。
【００３９】
以上説明したように、店舗情報管理システムは、ユーザにより登録された店舗のブックマークを公開型ブックマークとして管理するため、多数のユーザがブックマークを使用することができ、店舗情報を容易に利用することが可能となる。
なお、上述した実施の形態においては、店舗情報管理システムは、ＷＷＷサーバ１２、データベースサーバ１１、及び、ゲートウェイサーバ１３で構成されているとして説明したが、店舗情報管理システムの装置構成はこれに限定されることはない。例えば、店舗情報管理システムは、ＷＷＷサーバ１２とデータベースサーバ１１とゲートウェイサーバ１３との全ての機能を備えた1台の装置で構成されていてもよいし、また、データベースサーバが複数存在してもよい。また、上述した実施の形態におけるデータベースのデータ構成や画面構成は一例に過ぎず、最適な形式を選択することができる。さらに、上述した実施の形態においては、ブックマークとして店舗ＩＤを登録したが、例えば、店舗情報画面Ｇ２のＵＲＬをブックマークとして登録してもよい。
【００４０】
また、上述した実施形態においては、ブログへの記事投稿を電子メールやＸＭＬ−ＲＣＰを利用して行うこととしたが、これに限定されることはなく、例えば、ＦＴＰ（File Transfer Protocol）、ＳＯＡＰ（Simple Object Access Protocol）等の通信方式を利用してもよい。また、ブログに記事を投稿するユーザ端末２０は携帯電話機に限らず、例えば、パーソナルコンピュータ、ＰＨＳ等、ゲートウェイサーバ１３にデータを送信することができる通信端末であればよい。
【産業上の利用可能性】
【００４１】
本発明は、通信ネットワークを利用した店舗情報の管理及びユーザ間における店舗情報の共有に利用することができる。
【図面の簡単な説明】
【００４２】
【図１】本発明の実施の形態に係る店舗情報管理システムの構成を示す図である。
【図２】同実施の形態に係る店舗情報管理システムの詳細な構成を示す図である。
【図３】同実施の形態に係る店舗データベースのデータ構成の一例を示す図である。
【図４】同実施の形態に係るユーザデータベースのデータ構成の一例を示す図である。
【図５】同実施の形態に係るＷＷＷサーバの機能構成を示すブロック図である。
【図６】同実施の形態に係るユーザ認証前の店舗情報画面の一例を示す図である。
【図７】同実施の形態に係るユーザ認証後の店舗情報画面の一例を示す図である。
【図８】同実施の形態に係るユーザ情報画面の一例を示す図である。
【図９】同実施の形態に係る投稿記事管理器の機能構成を示す図である。
【図１０】同実施の形態に係る店舗のブックマーク登録手順を示すシーケンス図である。
【図１１】同実施の形態に係る記事投稿及び店舗情報付加手順を示すシーケンス図である。
【図１２】同実施の形態に係る操作コードを埋め込んだテンプレートメール生成用メール起動リンクの例を示す図である。
【図１３】同実施の形態に係るメール起動リンクにより生成されたテンプレートメールの例を示す図である。
【図１４】同実施の形態に係る店舗情報が付加されたメール本文の記載例を示す図である。
【図１５】同実施の形態に係る店舗広告が埋め込まれたブログ記事の例を示す図である。
【符号の説明】
【００４３】
１１  データベースサーバ
１２  ＷＷＷサーバ
１２０  公開型ブックマーク管理部
１２１  店舗情報画面表示部
１２２  ユーザ情報画面表示部
１２３  相互リンク部
１２４  ブックマーク登録部
１３  ゲートウェイサーバ
２０  ユーザ端末
２１  店舗データベース
２２  ユーザデータベース
２３  メール解析器
２４  投稿記事管理器
２４１  投稿記事加工部
２４２  記事投稿部
２４３  記事投稿時自動登録部
【図１】
2007179184.tif 000003
【図２】
2007179184.tif 000004
【図３】
2007179184.tif 000005
【図４】
2007179184.tif 000006
【図５】
2007179184.tif 000007
【図６】
2007179184.tif 000008
【図７】
2007179184.tif 000009
【図８】
2007179184.tif 000010
【図９】
2007179184.tif 000011
【図１０】
2007179184.tif 000012
【図１１】
2007179184.tif 000013
【図１２】
2007179184.tif 000014
【図１３】
2007179184.tif 000015
【図１４】
2007179184.tif 000016
【図１５】
2007179184.tif 000017